(57)【要約】      （修正有）【課題】洗濯ができ、再利用が可能であり、吸湿性に富み、発汗等により足底がべとつかないとともに、歩行が長時間になっても鼻緒ずれが生じない洗濯可能なスリッパを提供する。【解決手段】底部に底部層１１を、該層の上に土踏まず部から踵部にわたる部位に中間層１２を、底部層１１と中間層１２の上に上部層１３を積層するとともに、上部層１３の土踏まず部に円形孔１４を形成し円形孔１４に円筒状体１５を嵌合し、各足指の末節骨に相当する上部層の部位にわん曲状層１８を設けた内装体を備え、底面に合成樹脂材料からなる底面層と５本指係合用鼻緒を設けた足に接する表面層とを一体に袋状体２に形成し、内装体１を袋状体の中に挿入して一体に形成した５本指スリッパを構成するものである。【選択図】図１
0003122493.tif 000002
【実用新案登録請求の範囲】
【請求項１】
底部に底部層を、該層の上に土踏まず部から踵部にわたる部位に中間層を、該中間層の上に上部層を積層するとともに、前記上部層の土踏まず部に円形孔を形成して該円形孔に硬質ゴム又は硬質ポリウレタンを嵌合し、各足指の末節骨に相当する上部層の部位にわん曲状層を設けた内装体を備え、底面に合成樹脂材料からなる底面層と鼻緒を設けた足に接する表面層とを一体に袋状体に形成し、前記内装体を前記袋状体の中に挿入して一体に形成したことを特徴とする洗濯可能な５本指スリッパ。
【請求項２】
前記底部層及び中間層は硬質ゴム又は硬質ポリウレタンからなり、上部層は発泡ポリウレタンからなり、底面層は合成樹脂材料からなり、表面層はパイルを有する繊維材料からなる請求項１に記載の洗濯可能な５本指スリッパ。
【請求項３】
前記上部層は二層からなり、該上部層に土踏まず部にから踵部にわたって最上部層を積層し、前記上部層と最上部層に円形孔を形成して該円形孔に硬質ゴム又は硬質ポリウレタンを嵌合した請求項１又は請求項２に記載の洗濯可能な５本指スリッパ。
【請求項４】
前記鼻緒は５本指係合用鼻緒と該鼻緒を連結する帯状体と連結体を介して足甲保持部とからなる請求項１ないし請求項３のいずれかに記載の洗濯可能な５本指スリッパ。
【考案の詳細な説明】
【技術分野】
【０００１】
本考案は、履物に関するものであり、特に、洗濯可能なスリッパ、サンダル、草履に関するものである。
【背景技術】
【０００２】
従来より、室内でスリッパやサンダル、草履等の室内履を使用する場合が多い。そのため室内履物も材質、形状等各種のものが使用されている。そのなかに、内装材料として、パルプボード、レザーボードを用いたものがある（特許文献１）。  また、草履、サンダル等の中底構造として、プラスチック材料の積層成形から  なり、表面は凹凸状の不規則面を有しているものがある（特許文献２）。
また、サンダルや下駄等の鼻緒を備えた履物を長時間着う止しても鼻緒ずれが発生背巣、足の指の股部分が痛くならないようにしたものもある（特許文献３）。  
【０００３】
【特許文献１】実用新案登録第３１１０６３６号公報
【特許文献２】実用新案登録第３１０７２８４号公報
【特許文献３】実用新案登録第３１０６２５８号公報
【０００４】
実用新案登録第３１１０６３６号公報に記載された内装材料として、パルプボードを用いたものは、使用回数等により汚れた場合、洗濯をすると、パルプボードが水分を吸収し、変形又は崩壊して履物自体を再利用することができない。    
【０００５】
実用新案登録第３１０７２８４号公報に記載されたものは、足底を接する部分が合成樹脂等で形成されているので、吸湿性がないので、発汗等により足底がべとつき長時間の着用が困難である。
【０００６】
実用新案登録第３１０６２５８号公報に記載されたものは、従来の鼻緒を備えた履物と同様に、鼻緒の前緒部分だけて足指の第１指と第２指との間に挟んでいるので、歩行が長時間になると鼻緒ずれが生じ、足指の股部分が痛くなるという不具合がある。
【考案の開示】
【考案が解決しようとする課題】
【０００７】
上記の事情に鑑み、本考案は、洗濯ができ、再利用が可能であり、吸湿性に富み、発汗等により足底がべとつかないとともに、歩行が長時間になっても鼻緒ずれが生じない洗濯可能で健康を促進させるスリッパを提供することを課題とするものである。
【課題を解決するための手段】
【０００８】
本考案は上記目的を達成するために、底部に底部層を、該層の上に土踏まず部から踵部にわたる部位に中間層を、該中間層の上に上部層を積層するとともに、前記上部層の土踏まず部に円形孔を形成して該円形孔に硬質ゴム又は硬質ポリウレタンを嵌合し、各足指の末節骨に相当する上部層の部位にわん曲状層を設けた内装体を備え、底面に合成樹脂材料からなる底面層と鼻緒を設けた足に接する表面層とを一体に袋状体に形成し、前記内装体を前記袋状体の中に挿入して一体に形成したことを特徴とする洗濯可能な５本指スリッパを構成するものである。
【考案の効果】
【０００９】
本考案によれば、洗濯をしても変形せず、再利用が可能であり、吸湿性に富み、発汗等により足底がべとつかないとともに、歩行が長時間になっても鼻緒ずれが生じないものである。
【考案を実施するための最良の形態】
【００１０】
以下、本考案の実施例を図面に基づいて詳しく説明する。図１は、スリッパの内装体の斜視図、図２は、スリッパの一実施例を示す斜視図、図３は、スリッパと足底の骨との関係を示す平面図である。
【００１１】
図１に示すように、スリッパの内装体１は、底部に硬質ゴム又は硬質ポリウレタンからなる底部層１１と、該層１１の上に土踏まず部から踵部にわたる部位に硬質ゴム又は硬質ポリウレタンからなる中間層１２と、中間層１２の上に発泡ポリウレタンからなる上部層１３とを積層するとともに、上部層１３の土踏まず部に円形孔１４を形成する。円形孔１４に硬質ゴム又は硬質ポリウレタンからなる円筒状体１５を嵌合する。
また、上部層１３は上部下層１３１、上部上層１３２を二層からなり、上部層１３２に土踏まず部から踵部にわたって最上部層１６を積層し、上部下層１３１，上部上層１３２と最上部層１６に円形孔１４を形成して円形孔１４に硬質ゴム又は硬質ポリウレタンからなる円筒状体１５を嵌合し、円筒状体１５を最上部層１６の表面からやや突出させ足裏の刺激を必要とする部位に刺激を与えてもよい。
【００１２】
上部層１３の後記する５本指係合用鼻緒を取り付けるために４つの孔１７を設け、孔１７の前方にわたって発泡ポリウレタンからなるわん曲状帯層１８を設ける。
【００１３】
前記底部層１１と、該層１１の上に土踏まず部から踵部にわたる部位の中間層１２及び上部層１３は、合成繊維、天然繊維及びこれらの混合物となる繊維を含む不織布からなっていてもよい。
また、上部層及びわん曲状帯層１８は連続気泡又は独立気泡からなるポリエステル、ポリエーテル、架橋ポリエチレン、ポリ塩化ビニル及びこれらの混合物からなる材料であってもよい。
円筒状体１５も合成繊維、天然繊維及びこれらの混合物となる繊維を含む不織布からなっていてもよい。
【００１４】
図２に示すように、内装体１を被覆する袋状体２は、底面に合成樹脂材料からなる底面層２１と５本指係合用の４本の鼻緒２２と鼻緒２２を連結する帯状体２４と連結体２５を介して帯状足甲保持部２６を設け、４本の鼻緒２２は孔１７に連結し、帯状体２４と帯状足甲保持部２６はそれぞれ両端を表面層２３に縫合して一体に形成されている。
【００１５】
合成樹脂材料からなる底面層２１は、ポリエステル、ポリプロピレン、ナイロン、ポリエチレン、ＥＶＡ（エチレン−酢酸ビニル重合体）等の材料からなっていてもよい。
【００１６】
表面層２３は、パイル布帛からなり、布帛材料は天然繊維、特に、綿繊維からなるものが好適である。その他、カシミヤ、ウール、モヘア、アルパカ、アンゴラ、キャメル、及びラマからなる繊維を選択してもよい。
また、基布にパイルをタフティングしたタフテッドパイル布帛を用いてもよい。タフテッドパイル布帛を用いる場合は、裏面に発泡合成樹脂からなるクッション材を貼り合せ裏打ち積層することが好適である。
【００１７】
鼻緒２２、帯状体２４、連結体２５、帯状足甲保持部２６も、パイル布帛からなり、布帛材料は天然繊維、特に、綿繊維からなるものが好適である。その他、カシミヤ、ウール、モヘア、アルパカ、アンゴラ、キャメル、及びラマからなる繊維を選択してもよい。
また、基布にパイルをタフティングしたタフテッドパイル布帛を用いてもよい。タフテッドパイル布帛を用いる場合は、裏面に発泡合成樹脂からなるクッション材を貼り合せ裏打ち積層することが好適である。
【００１８】
上記のように、底部層１１と該層の上に土踏まず部から踵部にわたる部位に中間層１２と中間層１２の上に上部層１３を積層するとともに、上部層１３の土踏まず部に円形孔１４を形成して円形孔１４に円筒状体１５を嵌合し、円筒状体１５を最上部層１６の表面からやや突出させ、上部層１３の５本指係合用鼻緒２２を取り付けるための４つの孔１７を設け、孔１７の前方にわたって発泡ポリウレタンからなるわん曲状帯層１８を設けた内装体１を、底面に合成樹脂材料からなる底面層２１と５本指係合用鼻緒２２を設けた足に接する表面層２３とを一体に袋状体２の中に挿入して鼻緒２２を４つの孔１７に通して一体に形成した５本指スリッパを構成する。
【００１９】
図３に示すように、人体の足底の骨３は、爪先側から先端に向かって、親指で第１中足骨３５ａ、第１基節骨３６ａ、第１末節骨３７ａ、人指し指で第２中足骨３５ｂ、第２基節骨３６ｂ、第１中節骨３８ｂ、第２末節骨３７ｂからなり、踵側で、踵骨３０、距骨３１、船状骨３２、楔状骨３３ａ，３３ｂ，３３ｃと立方骨１４とからなっている。
【００２０】
そして、わん曲状帯層１８は、親指で第１末節骨３７ａ、人指し指で中節骨３７ｂ、第２末節骨３７ｂ、中指で、第２中節骨３７ｃ、第３末節骨３７ｃ、薬指で、第３中節骨３７ｄ、第４末節骨３７ｄ、小指で、第４中節骨３７ｅ、第５末節骨３７ｅを載置し、足の指先を広げてリラックスさせる効果を有する。
【００２１】
このようなスリッパを着用すると、土踏まず部が円筒状体１５の押圧により刺激されて血行の促進効果が奏せられ、また、歩行の際に、爪先をスリッパの先端側に前進させる方向に力が働くが、足指はわん曲状帯層１８により固定されるため、爪先がスリッパの先端側に移動しにくくなり、反力が踵側にかかり親指にかかる負担が軽減され、歩行がしやすくなる。また、足の指先を広げてリラックスさせることができる。
【００２２】
また、内装体がダンボール等の紙製材料を具備していないので、洗濯をしても変形せず、再利用が可能であり、パイルを有する繊維材料からなる袋状体からなっているので、吸湿性に富み、発汗等により足底がべとつかないとともにさわやかであり、夏は涼しく、冬は暖かいものとなる。更に、５本指がそれぞれ係合する鼻緒を有するので、歩行が長時間になっても鼻緒ずれが生じない。
【産業上の利用可能性】
【００２３】
本考案は、スリッパのみならず、草履、サンダルとしても利用することができる。
【図面の簡単な説明】
【００２４】
【図１】本考案のスリッパの内装体の斜視図である。
【図２】スリッパの一実施例を示す斜視図である。
【図３】スリッパと足底の骨との関係を示す平面図である。
【符号の説明】
【００２５】
１      内装体
１１    底部層
１２    中間層
１３    上部層
１４    円形孔
１５    円筒状体
１３１  上部下層
１３２  上部上層
１６    最上部層
１７    孔
１８    わん曲状帯層
２      袋状体
２１    底面層
２２    鼻緒
２３    表面層
２４    帯状体
２５    連結体２５
２６    帯状足甲保持部
３      人体の足底の骨
３５ａ  第１中足骨
３６ａ  第１基節骨
３７ａ  第１末節骨
３５ｂ  第２中足骨
３６ｂ  第２基節骨
３８ｂ  第１中節骨
３７ｂ  第２末節骨
３０    踵骨
３１    距骨
３２    船状骨
３３ａ  楔状骨
３３ｂ  楔状骨
３３ｃ  楔状骨
３４    立方骨
【図１】
0003122493.tif 000003
【図２】
0003122493.tif 000004
【図３】
0003122493.tif 000005